(57)【要約】【課題】配線固定用に別の部材を必要とせず、組み立てが簡単であり、配線の固定状態が容易に解除されることがない配線部材の固定構造を提供する。【解決手段】メンブレンシート３に、先端に穴３ｂを有する帯状凸部３ａと先端に膨大部３ｄを有する柱状凸部３ｃとを互いに近接する位置に形成し、前記帯状凸部３ａを弾性変形させて前記穴３ｂを前記膨大部３ｄを通過させて膨大部３ｄに係止された状態とし、この状態で前記柱状凸部３ｃと帯状凸部３ａの間に配置された配線部材５の一部を前記帯状凸部ａが保持するように構成した。【選択図】図２
2010027828.tif 000002
【特許請求の範囲】
【請求項１】
メンブレンシートに、先端に穴を有する帯状凸部と先端に膨大部を有する柱状凸部とを互いに近接する位置に形成し、前記帯状凸部を弾性変形させて前記穴を前記膨大部を通過させて膨大部に係止された状態とし、この状態で前記柱状凸部と帯状凸部の間に配置された配線部材の一部を前記帯状凸部が保持するように構成した配線部材の固定構造。
【請求項２】
メンブレンシートに、先端に穴を有する帯状凸部を形成し、前記帯状凸部と近接位置に配置されるように操作パネルに先端に膨大部を有する柱状凸部を形成し、前記帯状凸部を弾性変形させて前記穴を前記膨大部を通過させて膨大部に係止された状態とし、この状態で前記柱状凸部と帯状凸部の間に配置された配線部材の一部を前記帯状凸部が保持するように構成した配線部材の固定構造。
【発明の詳細な説明】
【技術分野】
【０００１】
この発明は電子機器に係わり、特に、その配線部材の固定構造に関する。
【背景技術】
【０００２】
従来の配線部材の固定構造の例を図５に示す。図５に示す操作パネル８は電子機器の前面に配置され、操作つまみや表示部を保持しているものであるが、図５にはボスの部分のみ示している。プリント基板４は操作パネル８の背後に配置され、プリント基板４の前面側にゴム製のメンブレンシート９が配置されている。そして、プリント基板４とメンブレンシート９によりメンブレンスイッチが構成されている。
【０００３】
薄板板金製の配線固定板１０はメンブレンシート９およびプリント基板４と共にビス１１により操作パネル８に締着されている。配線固定板１０を配線部材５、５を巻くように曲げて、配線部材５、５が固定される。
【０００４】
上記した図５に示す従来の配線部材の固定構造では、配線固定板１０等配線固定のために特別の部品を必要として部品点数が多くなり、配線固定板１０を締着したり、加工するなどの工程が増える等製造コストが増大するという問題があった。
【０００５】
実開平６−８０３２６号公報に開示された配線収束固定部材は、ロ字形状が自然状態で開いた形となる樹脂製の配線収束固定部材の一面を両面テープで固定板に接着し、配線を配線収束固定部材の中に入れた後、配線収束固定部材の開いた部分に形成された係止部を係止させて、配線収束固定部材で配線を束ねて固定する。
【０００６】
上記実開平６−８０３２６号公報に開示された配線収束固定部材は、やはり、配線収束固定部材等配線固定のために特別の部品を必要として部品点数が多くなり、配線収束固定部材を両面テープで固定板に接着したりするなどの工程が増える等製造コストが増大するという問題があった。
【０００７】
配線の固定を解除する場合は両面テープを剥がすことになるが両面テープは剥がすことにより接着力が落ちて再度配線を固定する場合は新しい両面テープを使用する必要が生じる。また、両面テープは剥がれることもあり、樹脂製の配線収束固定部材の係止部の係止状態が外れる恐れがあるという問題があった。
【特許文献１】実開平６−８０３２６号公報、段落０００９〜段落００１１、図１、図２
【発明の開示】
【発明が解決しようとする課題】
【０００８】
この発明は上記した点に鑑みてなされたものであって、その目的とするところは、配線固定用に特別の部材を必要とせず、組み立てが簡単であり、配線の固定状態が容易に解除されることのない配線部材の固定構造を提供することにある。
【課題を解決するための手段】
【０００９】
この発明の配線部材の固定構造は、メンブレンシートに、先端に穴を有する帯状凸部と先端に膨大部を有する柱状凸部とを互いに近接する位置に形成し、前記帯状凸部を弾性変形させて前記穴を前記膨大部を通過させて膨大部に係止された状態とし、この状態で前記柱状凸部と帯状凸部の間に配置された配線部材の一部を前記帯状凸部が保持するように構成したものである。
【００１０】
また、この発明の配線部材の固定構造は、メンブレンシートに、先端に穴を有する帯状凸部を形成し、前記帯状凸部と近接位置に配置されるように操作パネルに先端に膨大部を有する柱状凸部を形成し、前記帯状凸部を弾性変形させて前記穴を前記膨大部を通過させて膨大部に係止された状態とし、この状態で前記柱状凸部と帯状凸部の間に配置された配線部材の一部を前記帯状凸部が保持するように構成したものである。
【発明の効果】
【００１１】
この発明の配線部材の固定構造によると、配線固定用に特別の部材を必要とせず、組み立てが簡単であり、配線の固定状態が容易に解除されることがない。
【発明を実施するための最良の形態】
【００１２】
【実施例１】
【００１３】
以下この発明を実施するための最良の形態を実施例に即して説明する。図１はこの発明の実施例１である配線部材の固定構造を示す断面図、図２は同配線部材の固定構造の他の状態を示す断面図である。図１および図２に示すプリント基板４に設けられた対向する導体パターンと、ゴム製のメンブレンシート３の椀形形状部３ｅの内部に形成された凸部３ｆに付設され、椀形形状部が弾性変形することにより前記導体パターン同士を導通させる導体膜によりメンブレンスイッチが構成されている。
【００１４】
図６に従来の電子機器の操作パネル内部に配置される部材の位置関係を示す。図６に示す操作パネル８はプッシュスイッチ作動用つまみ２を押し込み可能に保持している。操作パネル８とその背後に配置されるプリント基板４はメンブレンシート９を挾持している。メンブレンシート９は配線部材の固定のための機能を有していなが、実施例１ではこのように操作パネルとプリント基板の間に配置されるメンブレンシート３が配線部材の固定のために利用にされる。
【００１５】
図１および図２に示すメンブレンスイッチを作動させるプッシュスイッチ作動用つまみ２は、その押圧部２ａが操作パネル１の前側に配置されており、押圧部２ａの中心に対して対称位置に２つのリブ２ｂ、２ｂが後方に向けて延びるように形成されている。リブ２ｂ、２ｂの外側には夫々凹み２ｃ、２ｃが形成されている。さらに、押圧部２ａの中心位置から後方に延びるように軸２ｄが形成されている。
【００１６】
操作パネル１のつまみ取付け用穴の周囲には奥側に延びる係合部１ａが形成されている。係合部１ａの中間位置で前記リブ２ｂ、２の夫々の凹み２ｃ、２ｃと対応する位置に傾斜面１ｂ、１ｂが形成され、さらに傾斜面１ｂ、１ｂの後方に段差１ｃ、１ｃが形成されている。
【００１７】
上記つまみを操作パネル１に組み付けるときは、つまみ２を操作パネル１のつまみ取付け用穴に押し込むと、リブ２ｂ、２ｂは係合部１ａの傾斜面１ｂ、１ｂに押されて弾性変形して傾斜面１ｂ、１ｂを乗り越える。そして、段差１ｃ、１ｃがリブ２ｂ、２ｂの凹み２ｃ、２ｃの奥側の縁を越えるとリブ２ｂ、２ｂは元に戻り段差１ｃ、１ｃが凹み２ｃ、２ｃの奥側の縁を係止するようになる。
【００１８】
このようにつまみ２が押し込まれた後の自然状態では、つまみ２の軸２ｄがメンブレンシート３の弾力に押されつまみ２が突出位置にあり、図１および図２に示すように、段差１ｃ、１ｃが凹み２ｃ、２ｃの奥側の縁を係止している。このとき、プリント基板の対向する導体パターンは導通していない。つまみ２を指で押すと、つまみ２の軸２ｄはメンブレンシート３を変形させメンブレンシート３の凸部３ｆに設けられた導体膜がプリント基板の対向する導体パターンを導通させる。
【００１９】
メンブレンシート３には先端に穴３ｂを有する帯状凸部３ａと、先端に膨大部３ｄを有する柱状凸部３ｃとが近接して設けられている。図２に示すように、帯状凸部３ａと柱状凸部３ｃとの間に配線部材５、５を配置し、帯状凸部３ａを弾性変形させて穴３ｂを膨大部３ｄを越えるように柱状凸部３ｃに押し込むと、配線部材５、５は膨大部３ｄに押さえられて固定される。なお、帯状凸部３ａを複数設け、配線部材を複数箇所で固定してもよい。
【００２０】
このように配線部材５、５の固定作業は極めて簡単であり、メンブレンシート３はゴム弾性部材であるために容易に抜けることはない。そして、メンブレンシート３の単体部品の他に別部品を必要としないので部品点数も少ない。
【実施例２】
【００２１】
図３はこの発明の実施例２である配線部材の固定構造を示す断面図、図４は同配線部材の固定構造の他の状態を示す断面図である。この例では、メンブレンシート７には先端に穴７ｂを有する帯状凸部７ａが設けられており、実施例１の柱状凸部３ｃは形成されていない。メンブレンシート７の他の構成は実施例１のメンブレンシート３と同様である。
【００２２】
また、操作パネル６のボス６ｄの先端には先端に膨大部６ｆを有する柱状凸部６ｅが形成されている。他の構成は実施例１のメンブレンシート３と同様であり、さらに、実施例１と同じプッシュスイッチ作動用つまみ２が用いられる。そして、操作パネル６の柱状凸部６ｅはメンブレンシート７の帯状凸部７ａと近接した位置に配置される。
【００２３】
図４に示すように、帯状凸部７ａと柱状凸部６ｅとの間に配線部材５、５を配置し、帯状凸部７ａを弾性変形させて穴７ｂを操作パネル６の膨大部６ｆを越えるように柱状凸部６ｅに押し込むと、配線部材５、５は膨大部６ｆに押さえられて固定される。この例では実施例１と同様の効果を奏し、また、柱状凸部６ｅの剛性が大きいため、組み付け作業がさらに簡単となる。
【００２４】
実施例は以上のように構成されているが発明はこれに限られず、例えば、柱状凸部の膨大部の形状をフック形状としてもよい。フック形状とすることによりメンブレンシートの帯状凸部をさらに確実に固定できる。また、帯状凸部の形状を逆Ｌ字形状ではなく、直線形状してもよい。このようにすることにより、メンブレンシートを型から抜き出す作業が容易となる。
【図面の簡単な説明】
【００２５】
【図１】この発明の実施例１である配線部材の固定構造を示す断面図である。
【図２】同配線部材の固定構造の他の状態を示す断面図である。
【図３】この発明の実施例２である配線部材の固定構造を示す断面図である。
【図４】同配線部材の固定構造の他の状態を示す断面図である。
【図５】従来の配線部材の固定構造の例を示す断面図である。
【図６】従来の電子機器の操作パネル内部の部材の位置関係を示す分解斜視図である。
【符号の説明】
【００２６】
１  操作パネル、１ａ  係合部、１ｂ  傾斜面、１ｃ  段差
２  プッシュスイッチ作動用つまみ、２ａ  押圧部、２ｂ  リブ  ２ｃ  凹み２ｄ  軸  ３  メンブレンシート、３ａ  帯状凸部、３ｂ  穴、３ｃ  柱状凸部、３ｄ  膨大部
３ｅ  椀形形状部、３ｆ  凸部
４  プリント基板
５  配線部材
６  操作パネル、６ｄ  ボス、６ｅ  柱状凸部、６ｆ  膨大部
７  メンブレンシート、７ａ  帯状凸部、７ｂ  穴、
８  操作パネル
９  メンブレンシート
１０  配線固定板
１１  ビス
【図１】
2010027828.tif 000003
【図２】
2010027828.tif 000004
【図３】
2010027828.tif 000005
【図４】
2010027828.tif 000006
【図５】
2010027828.tif 000007
【図６】
2010027828.tif 000008